【事件の表示】
　特許第３００３５７２号「パチンコ機」の請求項１に係る特許に対する特許異議の申立てについて、次のとおり決定する。
【結　論】
　訂正を認める。
　特許第３００３５７２号の請求項１に係る特許を維持する。
【理　由】
１.手続の経緯
　特許第３００３５７２号の請求項１に係る発明は、平成８年４月１５日に特許出願され、平成１１年１１月１９日にその特許権の設定登録がされ、その後、町田彬より特許異議の申立てがなされ、取消しの理由が通知され、その指定期間内である平成１２年１２月１２日に訂正請求がなされたものである。
　
２.訂正の適否
(2-1)訂正の内容
(a)特許請求の範囲の請求項１を次のとおり訂正する。
「飛込口と別に設けた第１排出部および第２排出部と、前記第１排出部に遊技球を導く第１通路と、前記第２排出部に遊技球を導く第２通路とを有する遊技部材が、遊技領域に設置されたパチンコ機であって、
　前記遊技部材に、開口部が設けられており、その開口部から特別図柄表示部が視認可能になっているとともに、開口部上方に、前記飛込口が設けられており、開口部の左右側方の前後に、それぞれ、前記第１通路、前記第２通路が設けられており、開口部の下方の前後に、それぞれ、第１ステージ、第２ステージが設けられており、かつ、それらの第１ステージおよび第２ステージに、それぞれ、前記第１排出部、前記第２排出部が設けられているとともに、第２ステージの前端縁に第２ガードが垂設されており、かつ、遊技部材の下側に入賞領域が設けられており、
　飛込口から遊技部材の内部に入り込み第１通路を通過した遊技球を、第１ステージに現出した後に第１排出部から排出し、飛込口から遊技部材の内部に入り込み第２通路を通過した遊技球を、第２ステージに現出した後に第２排出部を介して第１排出部から排出するとともに、
　遊技部材の第２排出部を介して第１排出部から遊技球が排出された場合には、第２排出部を介さず第１排出部から遊技球が排出された場合よりも高い確率で入賞領域に入賞し、かつ、
　遊技球が入賞領域に入賞した場合に、特別図柄表示部に表示された図柄が変動するとともに、変動後に所定の図柄が表示された場合に、大当たりが生起することを特徴とするパチンコ機。」
(b)【０００５】第１０〜１１行の「前記第２排出部が設けられており、かつ、遊技部材の下側に入賞領域が設けられており」を「前記第２排出部が設けられているとともに、第２ステージの前端縁に第２ガードが垂設されており、かつ、遊技部材の下側に入賞領域が設けられており」と訂正する。
　
(2-2)訂正の目的の適否、新規事項の有無及び拡張・変更の存否
　上記訂正事項(a)は、特許明細書の特許請求の範囲に記載された「第２ステージが設けられた遊技部材を設置したパチンコ機」を、下位概念である「第２ステージが設けられているとともに、第２ステージの前端縁に第２ガードが垂設された遊技部材を設置したパチンコ機」に限定するものである。「遊技部材に、第２ステージが設けられているとともに、第２ステージの前端縁に第２ガードが垂設されていること」は、特許明細書（特許公報第３頁第５欄第３７〜４１行）、図１、図３〜図５の記載に基づくものであり、特許請求の範囲の減縮を目的とするものである。
　上記訂正事項(b)は、明細書の【０００３】「課題を解決するための手段」の記載を、上記訂正事項(a)により、特許請求の範囲と発明の詳細な説明の記載の整合を図るものであり、不明りょうな記載の釈明を目的とするものである。
　また、上記訂正事項(a)、(b)は、願書に添付した明細書又は図面に記載した事項の範囲内の訂正であり、特許請求の範囲を拡張し又は変更するものでもない。
　
(2-3)むすび
　以上のとおりであるから、上記訂正は、特許法第１２０条の４第２項及び同条第３項において準用する特許法第１２６条第２項から第４項までの規定に適合するので、当該訂正を認める。
　
３.特許異議申し立て
(3-1)申立ての理由の概要
　申立人は、本件の請求項１に係る発明が、その出願前に頒布された甲第１号証又は甲第２号証に記載された発明であり、特許法第２９条第１項３号の規定に該当し、又、その出願前に頒布された甲第１号証に甲第３号証（必要があれば甲第４号証）を適用することにより、当業者が容易に発明をすることができたものであるから、同法第２９条第２項の規定により、特許を受けることができないものであるから、特許を取り消すべきと主張している。
　
(3-2)本件の請求項１に係る発明
　上記２.で示したように上記訂正が認められるから、本件の請求項１に係る発明（以下、本件発明という。）は、上記訂正請求に係る訂正明細書の特許請求の範囲の請求項１に記載された事項により特定されるとおりのものである。
　
(3-3)刊行物
(3-3-1)甲第１号証（特開平７−８８２２７号公報）には次のことが記載されている。
【００２３】
　前記ワープ機構４は、中央部に、前記特別可変表示装置３が臨まされるとともに、前面が開放された凹部９ａが形成された環状の枠体９を備え、この枠体９の外周部には、全周に亙ってフランジ９ｂが形成されており、このフランジ９ｂが、前記遊技盤１の前面に当接させられるとともに、ビス等の固定手段によって固定されることにより、前記枠体９が遊技盤１へ取り付けられるようになっている。
【００２４】
　また、前記凹部９ａの両側には、図２に示すように、前面部と外側部、および、上下面部が閉塞され、かつ、内側部が前記凹部９ａへ連通させられた切り換え室１０が形成されており、これらの各切り換え室１０の上面には、その内外部を連通し、遊技球Ｂが取り込まれる誘導口１１がそれぞれ形成されているとともに、その下方には、前記誘導口１１と連通させられた遊技球通過孔１２ａが形成された遊技球検出センサー１２が装着されている。
　この遊技球検出センサー１２は、前記切り換え室１０の上壁で、前記誘導口１１の両側部に平行に垂設された一対の支持片９ｃ間に、挟持されるようにして取り付けられている。
【００２５】
　さらに、前記両切り換え室１０および前記凹部９ａの底面は、図１ないし図４に示すように、相互に連続した形状となされているとともに、中央部が下方となるように傾斜させられ、かつ、前後に２分割された構成となっている。
　そして、前記２分割された底面は、前方部分が後方部分よりも下方となるように２段形状となされ、本実施例においては、前方側の低い部分が第１誘導路１３となされ、また、後方側の高い部分が第２誘導路１４となされている。
【００２６】
　これらの各誘導路１３・１４の中間部、すなわち、最も低い部分には、図１〜図４に示すように、各誘導路１３・１４からさらに低い排出路が１５・１６がそれぞれ形成されており、これらの排出路１５・１６は、その中心が、図３および図４に詳述するように、前記特定入賞口５の開口部の中心とほぼ一致するように形成されている。
【００４６】
　一方、前記ワープ機構４内に取り込まれた遊技球Ｂは、流路変更手段１８の振り分け皿２１が第１位置に保持されている場合（以下、この状態を第１状態と称す）には、図４に示すように、誘導口１１から、直接第１誘導路１３の上流端へ落下させられて、同図に矢印で示すように、この第１誘導路１３上を転動しつつ、この第１誘導路１３の中央部に形成されている幅広の排出路１５へ導かれ、この排出路１５からその下方に設けられている特定入賞口５へ向けて流下させられる。
【００４７】
　ここで、第１誘導路１３に形成されている排出路１５は、前述のように幅広に形成されていること、また、ワープ機構４内に取り込まれる遊技球Ｂが、誘導口１１内に入る際の勢いや回転の違いによって、第１誘導路１３を転動する遊技球Ｂの勢いが異なることにより、この遊技球Ｂは、排出路１５内を、図４に矢印で示すように、その幅方向にばらついた流下経路をとることとなる。
　そして、遊技球Ｂの勢いが適当であって、この遊技球Ｂが、前記排出路１５に形成されている誘導溝１７に入り込むと、遊技球Ｂがこの誘導溝１７によって特別入賞口５の直上へ流下させられ、ほぼ確実にこの特別入賞口５へ入賞させられるが、これ以外の遊技球Ｂは特別入賞口５の側部に流下させられて、入賞がなされない。
　したがって、第１誘導路１３に落とし込まれた遊技球Ｂの特定入賞口５への入賞確率は低い。
【００４８】
　また、流路変更手段１８の振り分け皿２１が第２位置に位置されている場合（以下、この状態を第２状態と称す）には、遊技球検出センサー１２を通過させられた遊技球Ｂは、図３および図４に示すように、振り分け皿２１の球受け部２１ａに捕捉されたのちに、貫通孔２１ｄを経て案内部２１ｃへ送り込まれ、この案内部２１ｃによって第２誘導路１４の上流端へ落とし込まれる。
　この振り分け皿２１を第２位置への回動は、本実施例においては、制御手段からの信号によって作動させられる駆動機構２２によって行なわれるが、この信号によりモーター２３が駆動されて、前記振り分け皿２１の回動が開始され、この回動軸２０に取り付けられている検出片２５がフォトセンサー２６によって検出された時点で前記モーター２３の駆動が停止させられることによって行なわれる。
【００４９】
　このようにして第２誘導路１４へ導かれた遊技球Ｂは、この第２誘導路１４上を中央部へ向けて転動させられ、この第２誘導路１４に形成されている幅狭の排出路１６へ落下させられるとともに、この排出路１６によって、前記第１誘導路１３の誘導溝１７へ流下させられる。
　そして、前記排出路１６は、遊技球Ｂの直径とほぼ等しい幅に形成されていることから、この排出路１６によって案内されて流下させられる遊技球Ｂの流下経路は、図３に矢印で示すように、ほぼ１系統となり、前記誘導溝１７へ確実に誘導され、かつ、この誘導路１７に導かれた遊技球Ｂは、前述のように、その横振れが抑制されてほぼ確実に前記特定入賞口５へ入賞させられる。
　したがって、第２誘導路１４へ導かれた遊技球Ｂの殆どが特定入賞口５へ入賞させられることとなり、その入賞確率が大幅に高められる。
　
(3-3-2)甲第２号証（特開平７−１２４３０９号公報）には次のことが記載されている。
【００３５】
　第５実施例
　次に、図９は本発明の第５実施例を示す図であり、ワープ通路を４つ設けた例である。
　図９は特別図柄表示装置の斜視図である。この図において、５００は特別図柄表示装置、５００ａは液晶部、５０１はケーシング、５０２は凹室部である。ケーシング５０１の上部には上部入賞口５０３および４つのワープ入賞口５０４〜５０７が形成されている。
　ケーシング５０１の内部には４つのワープ入賞口５０４〜５０７から入賞した玉を通過させる４つのワープ通路５０８〜５１１がそれぞれ形成され、ケーシング５０１の下部にはワープ通路５０８、５１０に対応するワープ出口５１２、５１３がそれぞれ形成されている。なお、他方のワープ通路５０９、５１１はケーシング５０１の内部で見えないため、形成位置を破線で示している。また、他方のワープ通路５０９、５１１に対応するワープ出口は見えないため、番号付けを省略している。ワープ通路５０８〜５１１はケーシング５０１の内部を繰り抜くようにして形成され、ケーシング５０１の形状に沿って配置されている。
【００３６】
　凹室部５０２の内部には遊技空間部５１１が形成されており、遊技空間部５１１には第１遊技領域５２１および第２遊技領域５２２が配置されている。第１遊技領域５２１は凹室部５０２における下部手前側の遊技空間部５１１の一部に相当し、遊技球を凹室部５０２の外に出すために前側に傾斜した一定の広さの平面になっている。一方、第２遊技領域５２２は第１遊技領域５２１より高い位置にある帯状の部材と、その部材から下り傾斜で連続する部材と、中央付近に位置し溝５２３が形成された部材とからなっている。
　ワープ入賞口５０４、５０５、ワープ通路５０８、５０９およびワープ出口５０８（他方のワープ出口は符号省略）はワープ入賞口５０４、５０５から入賞した玉を通過させて遊技空間部１１１の第１遊技領域５２１に送り込む機能を有し、一方、ワープ入賞口５０６、５０７、ワープ通路５１０、５１１およびワープ出口５１０（他方のワープ出口は符号省略）はワープ入賞口５０６、５０７から入賞した玉を通過させて遊技空間部１１１の第２遊技領域５２２に送り込む機能を有している。そして、これらは全体として遊技媒体転送装置５３１を構成するとともに、さらに始動入賞口（すなわち、普通電動始動口６４）への遊技球の入賞率を変換可能な入賞率変換装置５３２を構成する。
【００３７】
　すなわち、ワープ入賞口５０４、５０５に入賞した玉はそれぞれワープ通路５０８、５０９を通った後、ワープ出口５０８（他方のワープ出口は符号省略）から遊技空間部１１１の第１遊技領域５２１に放出される。第１遊技領域５２１から放出された場合は、玉が不規則な動きをして下方に流下していき、障害釘の隙間を通ってアトランダムに普通電動始動口６４に入賞したり、あるいは入賞せず落下したりする。実際上は、玉が不規則な動きをしているため下方に備えられた普通電動始動口６４に入賞せず落下する割合が多い（つまり、始動入賞率が低い）。
　一方、ワープ入賞口５０６、５０７に入賞した玉はそれぞれワープ通路５１０、５１１を通った後、ワープ出口５１３（他方のワープ出口は符号省略）から遊技空間部１１１の第２遊技領域５２２に放出される。第２遊技領域５２２より放出された場合は、玉が第２遊技領域５２２に沿って中央の溝５２３を通り下方に流下する。このとき、溝５２３はほぼ普通電動始動口６４の真上に位置しているため、普通電動始動口６４に入賞する割合が非常に多くなる（つまり、始動入賞率が高い）。
　このように、入賞率変換装置５３２におけるどのワープ入賞口に玉が入賞するかによって始動入賞率を変換することが可能で、結局、前記第１実施例と同様の効果を得ることができる。
　
(3-3-3)甲第３号証（特開平８−１０４１１号公報）には次のことが記載されている。
【００１４】
　サイドランプ３９はゲーム内容に応じて適当に点灯あるいは点滅して遊技の臨場感を高めるものである。
　第１可変表示装置１３の上方にはワープ入口４１が形成されるとともに、ワープ受け部材４２、２つのワープ受け用回転体４３、４４が配置されている。ワープ入口４１はワープ装置５０（図２参照）の遊技球流路（ワープ通路）に玉を取り込むもので、遊技球取込口に相当する。ワープ受け部材４２は左右方向に長い平板状に形成され、上方から落下してきた玉あるいはワープ受け部材４２の左右両側に配置されたワープ受け用回転体４３、４４によって導かれた玉を中央のワープ入口４１の方に導く機能を有している。ワープ受け用回転体４３は一定方向（ワープ受け部材４２の方に玉を導くように右回転方向）に回転し、玉を１個宛て嵌入可能な３つのスプロケットを有している。
【００１６】
　ここで、ワープ装置５０について詳細に説明する。図２はワープ装置５０の断面を示す図である。図２において、ワープ装置５０は第１ワープ流路（第１遊技球流路）５１、第２ワープ流路（第２遊技球流路）５２、ワープ第１検出スイッチ５３、ワープ第２検出スイッチ５４、ワープ第３検出スイッチ５５、振分部材５６を有している。
　第１ワープ流路５１は、ワープ入口４１から取り込んだ玉を始動入賞口１４の上方部に配置した第１排出口５７（当りに相当する出口）から排出する。第２ワープ流路５２は、ワープ入口４１から取り込んだ玉を始動入賞口１４とは隔てた位置に配置した第２排出口５８（外れに相当する出口）から排出する。ワープ第１検出スイッチ５３はワープ入口４１から取り込まれた玉を検出するもので、例えば通過型のセンサあるいは磁気センサが用いられる。
【００１９】
　振分部材５６は、ワープ入口４１から取り込まれた玉を第１ワープ流路５１あるいは第２ワープ流路５２の何れかに振分けるもので、ワープ入口４１の直下の流路内を左右に移動可能である。例えば、振分部材５６が左側に移動すると、ワープ入口４１から取り込まれた玉は第１ワープ流路５１に振り分けられ、逆に振分部材５６が右側に移動すると、ワープ入口４１から取り込まれた玉は第２ワープ流路５２に振り分けられる。
　ワープ装置５０は遊技球による遊技を行い、遊技球の挙動が遮蔽された第３遊技領域を構成する。つまり、遊技者にとっては、遊技球の流れが見えない部分である。玉が遊技球の挙動が遮蔽された第３遊技領域を通過している間は、第１可変表示装置１３によって実球ではなく画像球による遊技が行われ、実球から画像球による遊技に切り換えられるようになっている。
　
(3-3-4)甲第４号証（特開平７−３９６３７号公報）には次のことが記載されている。
【００２９】
　次に、可変表示装置６０について説明する。可変表示装置６０は、前記遊技盤２０の表面に取り付けられる取付基板６１と、遊技盤２０の裏面に取り付けられる回転ドラムユニット７４ａ?７４ｃを含むドラム装置部７２とに分けられる。まず、まず遊技盤２０の表面に取り付けられる取付基板６１には、長方形状の窓開口６２が開設され、該窓開口６２に透明レンズカバー７１が取り付けられ、その透明レンズカバー７１の後方に回転ドラム７５ａ?７５ｃの外周に形成される識別情報が視認できるようになっている。この透明レンズカバー７１は、３つの回転ドラム７５ａ〜７５ｃの表面に描かれた識別情報（図柄）が３つ分見えるような大きさに選ばれていると共に、識別情報がより大きく見えるようにレンズ状に形成されている。また、取付基板６１の上部には、通常の入賞口６３が突設形成されているが、該入賞口６３の下方にワープ入口６５が設けられている。このワープ入口６５に入った打玉は、取付基板６１の左右に形成されたワープ通路６６ａ，６６ｂを通って窓開口６２の下縁左右に形成されたワープ出口６７ａ，６７ｂに放出され、最終的に取付基板６１の下部中央に形成された放出口６８から再度遊技領域２２に放出されるようになっている。しかして、放出口６８の下方には、図９に示すように始動入賞口２３が配置されるので、ワープされた打玉が、始動入賞口２３に入賞し易くなっている。
　
(3-4)対比・判断
(3-4-1)特許法第２９条第１項３号について
　本件発明と甲第１号証記載の発明とを対比すると、甲第１号証には、本件発明と同様に、「遊技部材（特別可変表示装置３）の開口部（凹部９ａ）に、入賞口（誘導口１１）から入賞した遊技球が振り分けられる第２ステージ（第２誘導路１４）と第１ステージ（第１誘導路１３）とが設けられているとともに、第２ステージに第２排出部（排出路１５）が設けられており、第１ステージに第１排出部（排出路１６）が設けられたパチンコ機」が記載されているが、甲第１号証には、少なくとも、本件発明の構成要件である「第２ステージの前端縁に第２ガードが垂設」された点が記載されていない点で相違する。甲第１号証に記載された発明は、第２誘導路１４と第１誘導路１３との間に明瞭な仕切りがないため、遊技球が第２誘導路１４上へ導かれた場合でも、第２誘導路１４上の遊技球が、排出路１６以外の部分から第１誘導路１３に落下してしまい、排出路１６から排出されず、誘導溝１７の下方に位置した特定入賞口５へ入賞しないことが多い。
　また、本件発明と甲第２号証記載の発明とを対比すると、甲第２号証にも、本件発明と同様に、「遊技部材（可変表示装置６３）の開口部（凹室部１０２）に、入賞口（ワープ出口５１３）から排出された遊技球が導かれる第２ステージ（第２遊技領域５２２）と、開口部から排出された遊技球が導かれる第１ステージ（第１遊技領域５２１）とが設けられているとともに、第２ステージに第２排出部（溝５２３）が設けられたパチンコ機」が記載されているが、甲第２号証には、少なくとも、本件発明の構成要件である「第２ステージの前端縁に第２ガードが垂設」された点が記載されていない点で、相違する。甲第２号証に記載された遊技機も、第２遊技領域５２２と第１遊技領域５２１との間に明瞭な仕切りがないため、遊技球がワープ出口５１３から第２遊技領域５２２上に導かれた場合でも、第２遊技領域５２２上の遊技球が、溝５２３以外の部分から第１遊技領域５２１に落下してしまい、溝５２３から排出されず、溝５２３の下方に位置した普通電動始動口６４へ入賞しないことが多い。
　したがって、本件発明は、甲第１号証又は甲第２号証に記載された発明ということはできず、特許法第２９条第１項３号の規定に該当しないから、本件特許は、特許法第２９条第１項の規定に違反してされたものではない。
　
(3-4-2)特許法第２９条第２項について　
　本件発明と甲第１号証記載の発明とを対比すると、甲第１号証には、本件発明と同様に、「遊技部材（特別可変表示装置３）の開口部（凹部９ａ）に、入賞口（誘導口１１）から入賞した遊技球が振り分けられる第２ステージ（第２誘導路１４）と第１ステージ（第１誘導路１３）とが設けられているとともに、第２ステージに第２排出部（排出路１５）が設けられており、第１ステージに第１排出部（排出路１６）が設けられたパチンコ機」が記載されているが、甲第１号証には、少なくとも、本件発明の構成要件である「第２ステージの前端縁に第２ガードが垂設」された点が記載されていない。
　上記相違点を検討すると、甲第３号証には、「遊技部材（ワープ装置５０）に入賞口（ワープ入口４１）から入賞した遊技球が振り分けられる第１ワープ流路５１と第２ワープ流路５２とが設けられたパチンコ機」が、甲第４号証には、「遊技部材（可変表示装置６０）に入賞口（ワープ入口６５）から入賞した遊技球が左右に振り分けられるパチンコ機」が、それぞれ記載されているが、何れにも、上記相違点は、記載されていないから、甲第１号証記載の発明に甲第３号証又は甲第４号証記載の発明を適用しても、本件発明にはなりえない。
　そして、本件発明は、上記相違点により、「第２ステージ」上に導かれた遊技球を「第２排出部」以外の部分から「第１ステージ」に落下させる事態を防止し、「第２ステージ」上を転動した遊技球をきわめて高い確率で入賞領域へ導くので、遊技球の流下の仕方に対する遊技者の関心を飛躍的に高めることができる。
　したがって、本件発明は、甲第１号証及び甲第３号証又は甲第４号証に記載された発明から当業者が容易に発明をすることができたものではないから、本件特許は、特許法第２９条第２項の規定に違反してされたものではない。
　
(3-5)むすび
　以上のとおりであるから、特許異議の申立ての理由によっては本件発明についての特許を取り消すことはできない。
　また、他に本件発明についての特許を取り消すべき理由を発見しない。
　よって、結論のとおり決定する。
【異議決定日】
平成１３年１月９日（２００１．１．９）
【訂正の要旨】
訂正の要旨
（ａ）特許請求の範囲の請求項１を特許請求の範囲の減縮を目的として次のとおり訂正する。「飛込口と別に設けた第１排出部および第２排出部と、前記第１排出部に遊技球を導く第１通路と、前記第２排出部に遊技球を導く第２通路とを有する遊技部材が、遊技領域に設置されたパチンコ機であって、
　前記遊技部材に、開口部が設けられており、その開口部から特別図柄表示部が視認可能になっているとともに、開口部上方に、前記飛込口が設けられており、開口部の左右側方の前後に、それぞれ、前記第１通路、前記第２通路が設けられており、開口部の下方の前後に、それぞれ、第１ステージ、第２ステージが設けられており、かつ、それらの第１ステージおよび第２ステージに、それぞれ、前記第１排出部、前記第２排出部が
設けられているとともに、第２ステージの前端縁に第２ガードが垂設されており、
　飛込口から遊技部材の内部に入り込み第１通路を通過した遊技球を、第１ステージに現出した後に第１排出部から排出し、飛込口から遊技部材の内部に入り込み第２通路を通過した遊技球を、第２ステージに現出した後に第２排出部を介して第１排出部から排出するとともに、
　遊技部材の第２排出部を介して第１排出部から遊技球が排出された場合には、第２排出部を介さず第１排出部から遊技球が排出された場合よりも高い確率で入賞領域に入賞し、かつ、
　遊技球が入賞領域に入賞した場合に、特別図柄表示部に表示された図柄が変動するとともに、変動後に所定の図柄が表示された場合に、大当たりが生起することを特徴とするパチンコ機。」
（ｂ）明りょうでない記載の釈明を目的として、【０００５】第１０〜１１行の「前記第２排出部が設けられており、かつ、遊技部材の下側に入賞領域が設けられており」を「前記第２排出部が
設けられているとともに、第２ステージの前端縁に第２ガードが垂設されており、
（５４）【発明の名称】
パチンコ機
（５７）【特許請求の範囲】
　【請求項１】　飛込口と別に設けた第１排出部および第２排出部と、前記第１排出部に遊技球を導く第１通路と、前記第２排出部に遊技球を導く第２通路とを有する遊技部材が、遊技領域に設置されたパチンコ機であって、
　前記遊技部材に、開口部が設けられており、その開口部から特別図柄表示部が視認可能になっているとともに、開口部上方に、前記飛込口が設けられており、開口部の左右側方の前後に、それぞれ、前記第１通路、前記第２通路が設けられており、開口部の下方の前後に、それぞれ、第１ステージ、第２ステージが設けられており、かつ、それらの第１ステージおよび第２ステージに、それぞれ、前記第１排出部、前記第２排出部が
設けられているとともに、第２ステージの前端縁に第２ガードが垂設されており、
　飛込口から遊技部材の内部に入り込み第１通路を通過した遊技球を、第１ステージに現出した後に第１排出部から排出し、飛込口から遊技部材の内部に入り込み第２通路を通過した遊技球を、第２ステージに現出した後に第２排出部を介して第１排出部から排出するとともに、
　遊技部材の第２排出部を介して第１排出部から遊技球が排出された場合には、第２排出部を介さず第１排出部から遊技球が排出された場合よりも高い確率で入賞領域に入賞し、かつ、
　遊技球が入賞領域に入賞した場合に、特別図柄表示部に表示された図柄が変動するとともに、変動後に所定の図柄が表示された場合に、大当たりが生起することを特徴とするパチンコ機。
【発明の詳細な説明】
　【請求項１】　飛込口と別に設けた第１排出部および第２排出部と、前記第１排出部に遊技球を導く第１通路と、前記第２排出部に遊技球を導く第２通路とを有する遊技部材が、遊技領域に設置されたパチンコ機であって、
　前記遊技部材に、開口部が設けられており、その開口部から特別図柄表示部が視認可能になっているとともに、開口部上方に、前記飛込口が設けられており、開口部の左右側方の前後に、それぞれ、前記第１通路、前記第２通路が設けられており、開口部の下方の前後に、それぞれ、第１ステージ、第２ステージが設けられており、かつ、それらの第１ステージおよび第２ステージに、それぞれ、前記第１排出部、前記第２排出部が
設けられているとともに、第２ステージの前端縁に第２ガードが垂設されており、
　飛込口から遊技部材の内部に入り込み第１通路を通過した遊技球を、第１ステージに現出した後に第１排出部から排出し、飛込口から遊技部材の内部に入り込み第２通路を通過した遊技球を、第２ステージに現出した後に第２排出部を介して第１排出部から排出するとともに、
　遊技部材の第２排出部を介して第１排出部から遊技球が排出された場合には、第２排出部を介さず第１排出部から遊技球が排出された場合よりも高い確率で入賞領域に入賞し、かつ、
　遊技球が入賞領域に入賞した場合に、特別図柄表示部に表示された図柄が変動するとともに、変動後に所定の図柄が表示された場合に、大当たりが生起することを特徴とするパチンコ機。
【発明の詳細な説明】
　【０００１】
　【発明の属する技術分野】
　本発明は、パチンコ機に関するものである。
　【０００２】
　【従来の技術】
　従来のパチンコ機の一種として、遊技領域に液晶画面からなる図柄表示装置が設けられており、遊技領域に設置された図柄始動口に遊技球が入賞した場合に、その図柄表示装置に表示された図柄が変動し、所定時間後に停止表示となり、停止表示となった図柄が所定の図柄である場合に、遊技者にとって有利な特定遊技状態（いわゆる大当たり状態）が生起するパチンコ機が知られている。かかるパチンコ機の図柄表示装置には、装飾と遊技領域を流下する遊技球の流下態様を面白くする目的で、遊技部材が周設されることが多い。従来の遊技部材としては、中央部分に図柄表示装置の液晶画面用の開口部が設けられ、上部に遊技球の飛込口が設けられ、上側および両サイドに、飛込口と連通した通路が設けられているとともに、図柄表示装置の液晶画面の下端縁に沿って両サイドの通路を繋ぐように、平板状のステージが設けられ、かつ、ステージの中央の僅かに低く形成された部分に排出部が設けられたものが知られている。また、かかる遊技部材が図柄表示装置に周設されたパチンコ機においては、通常、遊技部材の下側に、図柄始動口が設けられ、飛込口から遊技部材内に入った遊技球が、通路を通って流下した後にステージ上で左右に揺動し、しかる後に排出部から遊技部材の外部に排出されるようになっているとともに、排出された遊技球の一部が、所定の割合で図柄始動口に入賞するようになっている。
　【０００３】
　【発明が解決しようとする課題】
　しかしながら、上記従来のパチンコ機は、遊技部材の内部に入った遊技球が通路からステージ上へ流下しステージ上で左右に揺動した後に外部に排出され、排出された遊技球の一部が図柄始動口に入賞するだけであり、遊技球の流下態様が単純であるので、遊技者はいつまでも興味を持って遊技をし続けることができなかった。
　【０００４】
　本発明の目的は、上記従来のパチンコ機が有する課題を解消し、遊技球の流下態様がバラエティに富んでおり面白く、遊技者がいつまでも興味を持って遊技を楽しむことができるパチンコ機を提供することにある。
　【０００５】
　【課題を解決するための手段】
　かかる本発明の構成は、飛込口と別に設けた第１排出部および第２排出部と、前記第１排出部に遊技球を導く第１通路と、前記第２排出部に遊技球を導く第２通路とを有する遊技部材が、遊技領域に設置されたパチンコ機であって、前記遊技部材に、開口部が設けられており、その開口部から特別図柄表示部が視認可能になっているとともに、開口部上方に、前記飛込口が設けられており、開口部の左右側方の前後に、それぞれ、前記第１通路、前記第２通路が設けられており、開口部の下方の前後に、それぞれ、第１ステージ、第２ステージが設けられており、かつ、それらの第１ステージおよび第２ステージに、それぞれ前記第１排出部、前記第２排出部が
設けられているとともに、第２ステージの前端縁に第２ガードが垂設されており、
　【０００６】
　【発明の実施の形態】
　以下、本発明の遊技部材、および遊技部材が設置されたパチンコ機の一実施形態を、図面に基いて詳細に説明する。
　【０００７】
　図１は、遊技部材の正面および背面を示す説明図、図２は、遊技部材の右側面を示す説明図、図３は、図２におけるＡ−Ａ線断面およびＢ−Ｂ線断面を示す説明図、図４は、遊技部材の斜視説明図、図５は、遊技部材を一部を切り欠いて示す説明図である。遊技部材１は、合成樹脂製等の複数の部品が組み合わされて形成されている。そして、前方から見ると、幅広の略長方形状であり、中央に開口部３７が設けられており、側方から見ると、前方から後方にかけて略３層構造になっている（以下、前方の部分を前層部分ａといい、中央の部分を中層部分ｂといい、後方の部分を後層部分ｃという）。
　【０００８】
　前層部分ａは、横長で若干上向きに凸状の水平部２の上面から入賞部３が上方に突出した形状を有している。入賞部３は、内部が中空状になっており、上側には入賞口４が設けられており、両サイドには、それぞれ、飛込口５，５が設けられている。なお、入賞部３の内部において、２つの飛込口５，５は連通しているが、入賞口４は、それらの飛込口５，５とは連通していない。また、入賞部３内部の水平部２上面の略中央には、導球部６が浅い球面状に刻設されている（図５参照）。さらに、水平部２前面の略中央には表示窓７が穿設されており、その内部には小型表示装置８が内蔵されている。
　【０００９】
　一方、中層部分ｂは、上側および両サイドに第１中空路９が形成されている。第１中空路９は、上側の部分が前層部分ａの輪郭と略合致しており、中央から両端にかけて下向きに傾斜している。そして、第１中空路９の中央下側の壁面は、屋根形状の第１振分部１０になっており、その屋根の稜線は導球部６の中心線と一致している。
　【００１０】
　また、中層部分ｂの第１中空路９の両サイドの下端縁同士は、平板状の第１ステージ１１によって繋がれた状態になっている（以下、第１中空路９と第１ステージ１１とを合わせて第１通路という）。第１ステージ１１は、中央部分が僅かに低く形成されており、最も低い位置が浅く球面状に刻設されて第１排出部１２になっている。さらに、第１ステージ１１の前端縁には、第１ガード１３が垂設されており、その第１ガード１３の中央部分（すなわち、第１排出部１２の前方）には、第１排出口１４が緩い曲率半径の円弧状に刻設されている。なお、中層部分ｂの最上部には、第１案内体１５が設けられており、中層部分ｂの前面上方に穿設された通過孔３８を介して、前層部分ａの入賞部３の入賞口４と連通した状態になっている。加えて、中層部分ｂの前面の上方および下方には、それぞれ２つずつ取付板１６，１６・・が延設されており、それらの取付板１６，１６・・には、それぞれネジ挿通孔１７が穿設されている。
　【００１１】
　後層部分ｃも中層部分ｂと同様に、上側および両サイドに第２中空路１８が形成されており、上側の部分は、中央から両端にかけて下向きに傾斜している。そして、第２中空路１８の中央下側の壁面は、屋根形状を有する第２振分部１９になっており、その屋根の稜線は、導球部６の中心線および第１振分部１０の稜線と一致している。
　【００１２】
　後層部分ｃの第２中空路１８の両サイドの下端縁同士は、平板状の第２ステージ２０によって繋がれた状態になっている（以下、第２中空路１８と第２ステージ２０とを合わせて第２通路という）。第２ステージ２０は、第１ステージ１１と同様に、中央が僅かに低くなっており、最も低い位置が浅く球面状に刻設されて第２排出部２１になっている。その第２排出部２１は、遊技球略１個程度の幅に形成されており、第１排出部１２の幅よりも狭くなっている。さらに、第２ステージ２０の前端縁には、第２ガード２２が垂設されており、その第２ガード２２の中央部分（すなわち、第２排出部２１の前方）には、第２排出部２１の幅よりも僅かに狭幅な第２排出口２３が設けられている。なお、第２ステージ２０の方が第１ステージ１１よりも高くなっており、第１排出口１４の中心線の位置は、第２排出口２３の中心線の位置と一致している。また、後層部分ｃの最上部にも、第２案内体２４が設けられており、前層部分ａの入賞部３の入賞口４および中層部分ｂの第１案内体１５と連通した状態になっている。
　【００１３】
　遊技部材１が設置されたパチンコ機の一例を図６に示す。パチンコ機３４の中央上部には、略円形を有する遊技領域２５が設けられており、その遊技領域２５の略中央には、遊技部材１が設置されている。なお、パチンコ機３４は、遊技領域２５の下方に突設された発射ハンドル３５を回動操作することによって、上皿３６内の遊技球を遊技領域２５に打ち込むことができるようになっている。
　【００１４】
　遊技部材１は、取付板１６，１６・・の裏面を遊技盤面に当接させた状態でネジ孔１７，１７・・の部分が螺着されることによって、遊技領域２５に設置されている。また、遊技部材１の中央の開口部３７には、液晶画面からなる特別図柄表示部２６が設置されており、遊技部材１の第１排出口１４の下方には、図柄始動口である普通電動役物２７が設置されている。さらに、普通電動役物２７の下側には、大入賞口２８が設けられており、その大入賞口２８の下側には、普通図柄表示部２９が設けられている。一方、遊技部材１の両サイドには、普通図柄始動ゲート３０，３０が設けられている。
　【００１５】
　上記の如く構成されたパチンコ機３４においては、遊技領域２５に打ち込まれた遊技球が、前層部分ａの入賞部３の飛込口５、５から入賞部３内に飛び込むと、飛び込んだ遊技球の内の一部が、導球部６上まで遡る。導球部６上まで遡った遊技球は、中層部分ｂの前面に穿設された第１通過日３１を通って、中層部分ｂの第１振分部１０上へ導かれ、第１中空路９の左右何れかのサイドに振り分けられる。なお、第１振分部１０は、屋根形状をしているとともに、その屋根の稜線が導球部６の中心線と一致しているので、第１振分部１０上まで導かれた遊技球は、第１中空路９の左サイドおよび右サイドに略同じ確率で振り分けられる。そして、第１中空路９の左右何れかのサイドに振り分けられた遊技球は、第１中空路９内を通って、第１ステージ１１へと現出し、第１ステージ１１上を左右に揺動した後、第１排出部１２から第１排出口１４を通って遊技部材１の外部へと排出される。
　【００１６】
　一方、中層部分ｂの第１振分部１０上へ導かれた遊技球が、第１振分部１０の屋根の稜線付近を転動し、後層部分ｃの前面に穿設された第２通過日３２を通って後層部分ｃの第２振分部１９上へ導かれる場合もある（なお、パチンコ機３４は、導球部６上の遊技球を第１中空路９の左右何れかのサイドに振り分ける確率の方が、第２振分部１９上へ導く確率よりも大きくなるように設計されている）。第２振分部１９上へ導かれた遊技球は、第２中空路１８の左右何れかのサイドに振り分けられる。第２振分部１９は、第１振分部１０と同様に屋根形状をしているとともに、その屋根の稜線が第１振分部１０の屋根の稜線と「致しているので、第２振分部１９上まで導かれた遊技球は、第２中空路１８の左サイドおよび右サイドに略同じ確率で振り分けられる。そして、第２中空路１８の左右何れかのサイドに振り分けられた遊技球は、第２中空路１８内を通って、第２ステージ２０へと現出し、第２ステージ２０上を左右に揺動した後、第２排出部２１から第２排出口２３を通って下側に位置した第１排出部１２へと流下する。しかる後、第１排出口１４を通って遊技部材１の外部へと排出される。
　【００１７】
　第１排出部１２から排出された遊技球は、第１排出部１２の下側に設置された特別図柄始動口３３に向かって流下し、その内の一部が、特別図柄始動口３３の上方に立設された障害釘の間を通過して、特別図柄始動口３３に入賞する。なお、第１排出部１２は幅広で浅い球面状に形成されているため、第１ステージ１１上を揺動した後に第１排出部１２から排出された遊技球は、さほど高い確率で特別図柄始動口３３に入賞しない。しかしながら、第２排出部２１および第２排出口２３は、遊技球略１個分の幅に形成されており、第２排出口２３を通過した遊技球は、第１排出部１２上の略中心を通過して排出されるため、きわめて高い確率で特別図柄始動口３３に入賞する。また、遊技部材１内を通過しなかった遊技球も、低い確率ではあるが特別図柄始動口３３に入賞する。
　【００１８】
　特別図柄始動口３３または普通電動役物２７に遊技球が入賞した場合には、特別図柄表示部２６に表示された３つの図柄が変動を開始し、所定時間後に停止表示となる。そして、停止表示となった３つの図柄が所定の組み合わせ（たとえば「７，７，７」等）である場合には、大当たりが生起し、大入賞口２８が所定回数断続的に開成する。したがって、大当たりが生起した場合には、遊技者はきわめて多くの賞品球を獲得することができる。
　【００１９】
　なお、電源投入時からの大当たり生起の積算回数が、前層部分ａに内蔵された小型表示装置８によって表示窓７内に表示される。一方、遊技球が、遊技部材１の前層部分ａの上方の入賞口４に入賞した場合には、その入賞球は、第１案内体１５および第２案内体２４を通って、パチンコ機３４の内部に設けられた入賞球認識センサ（図示せず）まで導かれる。入賞球が入賞球認識センサまで導かれると、その入賞が認識され、入賞に応じた所定数の遊技球が賞品球として払い出される。
　【００２０】
　さらに、普通図柄始動ゲート３０を遊技球が通過した場合には、普通図柄表示部２９に表示された図柄が変動し、所定時間後に停止表示となる。そして、停止表示となった図柄が所定の図柄（たとえば「７」）である場合には、通常時は閉成している普通電動役物２７が一定時間開成し、きわめて遊技球が入賞し易い状態になる。なお、普通電動役物２７は、閉成時には遊技球が入賞しないようになっている。
　【００２１】
　パチンコ機３４は上記の如く構成されており、遊技部材１内に入った遊技球が第１通路と第２通路との２つの通路に振り分けられ、さらに各通路において左右何れかのサイドに振り分けられるとともに、第１通路に振り分けられた場合には、第１ステージ１１上で左右に揺動するので、遊技球の流下態様が非常にバラエティーに富んでおり面白い。したがって、遊技者は、遊技部材１内における遊技球の流下態様に関心を示しながら、興味を持って遊技を楽しむことができる。
　【００２２】
　また、パチンコ機３４は、遊技部材１内を通過した遊技球が、遊技部材１内を通過しなかった遊技球よりも高い確率で特別図柄始動口３３に入賞するように（すなわち、特別図柄の変動回数が多くなるように）設計されているので、遊技者は、遊技部材１内に遊技球が入るか否かに関心を示しながら、興味を持って遊技を楽しむことができる。
　【００２３】
　さらに、遊技部材１内に入った遊技球が第１通路に振り分けられた場合と第２通路に振り分けられた場合とで、遊技部材１の外部に排出された遊技球の特別図柄始動口３３への入賞確率が異なるように（すなわち、特別図柄の変動回数が異なるように）設計されているので、遊技者は、遊技部材１内に入った遊技球が第１通路に導かれるのか、あるいは第２通路に導かれるのか、ということに関心を示しながら、いつまでも興味を持って遊技を楽しむことができる。
　【００２４】
　なお、本発明の遊技部材の構成は、上記した実施例に何ら限定されるものではなく、水平部、入賞部、入賞口、飛込口、導球部、表示窓、小型表示装置、第１・第２中空路、第１・第２振分部、第１・第２ステージ、第１・第２排出部、第１・第２ガード、第１・第２排出口、第１・第２案内体、取付板、ネジ孔、第１・第２通路、第１・第２通過日、通過孔の形状・構造等の構成を、必要に応じて適宜変更することができる。
　【００２５】
　たとえば、飛込口は２つに限定されるものではなく、１つであっても良いし、逆に３つや４つであっても良い。また、表示窓、小型表示装置は、必ずしも必要ではなく、場合によっては省略することもできる。さらに、第２ステージ上の遊技球が第２排出口と第１排出口とを通って遊技部材の外部に排出される構造とせず、第１排出口と第２排出口とを完全に独立させても良い。加えて、各通路にステージを設けず、各通路を中空路のみから形成することも可能である。
　【００２６】
　一方、遊技部材が設置されるパチンコ機の構成も、上記した実施例に何ら限定されるものではなく、特別図柄表示部、特別図柄始動口、普通電動役物、大入賞口、普通図柄表示部、普通図柄始動ゲートの形状・構造、大当たり時における遊技内容等の構成を、必要に応じて適宜変更することができる。
　【００２７】
　たとえば、特別図柄始動口、普通電動役物、普通図柄始動ゲートの設置位置を変更することにより、遊技部材内を通過した遊技球が普通電動役物を通過し易い構造とせず、遊技部材内を通過した遊技球が普通図柄始動ゲートを通過し易い構造とすることも可能である。また、第２排出口から排出された遊技球が入賞し易い特別図柄始動口と第１排出口から排出された遊技球が入賞し易い特別図柄始動口とを別々に設けても良い。
　【００２８】
　なお、上記実施例においては、いわゆる第１種のパチンコ機に本発明の遊技部材を設置した例について説明したが、本発明のパチンコ機は、第１種のパチンコ機に限定されるものではなく、いわゆる第３種のパチンコ機等、別の種類のパチンコ機であっても良い。
　【００２９】
　【発明の効果】
　本発明のパチンコ機は、遊技部材の下側に人賞領域が設けられており、遊技部材の第２排出部から遊技球が排出された場合には、第１排出部から遊技球が排出された場合よりも高い確率で入賞領域に入賞するので、本発明のパチンコ機によれば、遊技者は、遊技部材に入った遊技球が第１通路に導かれるのか、あるいは第２通路に導かれるのか、ということに関心を示しながら、いつまでも興味を持って遊技を楽しむことができる。また、本発明のパチンコ機は、遊技部材内に入った遊技球が第１通路と第２通路との２つの通路に振り分けられ、さらに各通路において左右何れかのサイドに振り分けられるとともに、第１通路に振り分けられた場合には、第１ステージ．しで左右に揺動するので、遊技球の流下態様が非常にバラエティーに富んでおり面白い。したがって、本発明のパチンコ機によれば、遊技者は、遊技部材内における遊技球の流ト態様に関心を示しながら、興味を持って遊技を楽しむことができる。さらに、本発明のパチンコ機は、遊技球が遊技部材内を通過した場合には、遊技部材内を通過しなかった場合よりも高い確率で入賞領域に入賞し、特別図柄が変動し、大当たり生起の契機となるように設計されているので、本発明のパチンコ機によれば、遊技者は、遊技部材１内に遊技球が入るか否かに関心を示しながら、興味を持って遊技を楽しむことができる。
【図面の簡単な説明】
　【図１】
　遊技部材の正面および背面を示す説明図である。
　【図２】
　遊技部材の右側面を示す説明図である。
　【図３】
　図２におけるＡ−Ａ線断面およびＢ−Ｂ線断面を示す説明図である。
　【図４】
　遊技部材を斜めから見た状態を示す説明図である。
　【図５】
　遊技部材を一部切り欠いて示す説明図である。
　【図６】
　遊技部材を設置したパチンコ機を示す説明図である。
　【符号の説明】
１・・遊技部材、２・・水平部、３・・入賞部、４・・入賞口、５・・飛込口、６・・導球部、７・・表示窓、８・・小型表示装置、９・・第１中空路、１０・・第１振分部、１１・・第１ステージ、１２・・第１排出部、１３・・第１ガード、１４・・第１排出口、１５・・第１案内体、１６・・取付板、１７・・ネジ孔、１８・・第２中空路、１９・・第２振分体、２０・・第２ステージ、２１・・第２排出部、２２・・第２ガード、２３・・第２排出口、２４・・第２案内体、２５・・遊技領域、２６・・特別図柄表示部、２７・・普通電動役物、２８・・大入賞口、２９・・普通図柄表示部、３０・・普通図柄始動ゲート、３１・・第１通過口、３２・・第２通過口、３３・・特別図柄始動口、３４・・パチンコ機、３５・・発射ハンドル、３６・・上皿、３７・・開口部、３８・・通過孔。